(57)【特許請求の範囲】
【請求項１】
所定量の土を連続的に供給する土供給装置と、所定量の水を連続的に供給する水供給装置と、所定量の発泡ビーズを連続的に供給する発泡ビーズ供給装置と、所定量のセメント系固化材を連続的に供給するセメント系固化材供給装置と、一端側に連続的に供給される材料を攪拌混合して他端側から連続的に排出させる混練装置とを具え、混練装置は、横型で、材料受入れ用のホッパ部とこれに続く攪拌混合用の回転ドラムとに亙ってスクリューが設けられていると共に、この回転ドラムとスクリューの回転数と回転方向を任意に制御し、かつ装置全体の傾斜を可変にすることを特徴とする発泡ビーズ混合軽量土製造装置。
【請求項２】
発泡ビーズ供給装置にサイロから発泡ビーズが空気圧送される布製タンクを設け、該布製タンクに付設したホッパの下部にロータリー式軽量器を取り付けた請求項１記載の発泡ビーズ混合軽量土製造装置。
【請求項３】
セメント系固化材供給装置に計量器とスクリュー送り装置を設け、スクリュー送り装置のセメント系固化材の量が一定量に減った時に計量器から所定量のセメント系固化材をスクリュー送り装置に供給するようになっている発泡ビーズ混合軽量土製造装置。
【発明の詳細な説明】
【０００１】
【発明が属する技術分野】
本発明は、発泡ビーズ混合軽量土の製造装置に関するものである。
【０００２】
【従来の技術】
近年、土（砂，粘性土を含む）と、水と、発泡ビーズ（発泡ポリスチレン，発泡ポリプロピレン，発泡ポリ塩化ビニリデンのビーズ）と、セメント系固化材とから成る発泡ビーズ混合軽量土が土木工事において普及しつつあるが、その製造は専ら、バッチ式でなされているため、製造装置が大掛かりであるのに製造能力がさほど大きくない、という問題点があった。
【０００３】
【発明が解決しようとする課題】
本発明が解決しようとする課題（本発明の目的）は、前記問題点の解消、すなわち、比較的小規模でしかも製造能力が大きい発泡ビーズ混合軽量土製造装置を提供することにある。
【０００４】
【課題を解決するための手段】
前記課題を解決するために、本発明の発泡ビーズ混合軽量土製造装置（以下、本発明の装置という）では、所定量の土を連続的に供給する土供給装置と、所定量の水を連続的に供給する水供給装置と、所定量の発泡ビーズを連続的に供給する発泡ビーズ供給装置と、所定量のセメント系固化材を連続的に供給するセメント系固化材供給装置と、一端側に連続的に供給される材料を攪拌混合して他端側から連続的に排出させる混練装置とを具え、混練装置は、横型で、材料受入れ用のホッパ部とこれに続く攪拌混合用の回転ドラムとに亙ってスクリューが設けられていると共に、この回転ドラムとスクリューの回転数と回転方向を任意に制御し、かつ装置全体の傾斜を可変にする。
【０００５】
なお、本発明の装置では、発泡ビーズ供給装置にサイロから発泡ビーズが空気圧送される布製タンクを設け、該布製タンクに付設したホッパの下部にロータリー式計量器を取り付けるのが好ましい。
【０００６】
また、本発明の装置では、セメント系固化材供給装置に計量器とスクリュー送り装置を設け、スクリュー送り装置のセメント系固化材の量が一定量に減った時に計量器から所定量のセメント系固化材をスクリュー送り装置に供給するようになっているのが好ましい。
【０００７】
【発明の実施の形態】
本発明の装置における土供給装置の一例の説明図である図１において、１はホッパ、２はベルトコンベアであり、ホッパ１には篩３、ほぐし羽根４、スクリュー装置５が、また、ベルトコンベア２にはロードセル６が、それぞれ取り付けられている。
【０００８】
スクリュー装置５は、１本の軸の左右に送り方向が異なる２つのスクリューを取り付けたもので、軸の正回転で、ポッパ１内に投入された土を中央に寄せてホッパ１の下部中央の排出孔からベルトコンベア２上に排出させるようになっている。
【０００９】
そして、土の排出量の計測はロードセル６で行い、排出量の調節はスクリュー装置５の軸の回転数を制御して行うようになっている。
【００１０】
次に、本発明の装置における水供給装置の一例の説明図である図２において、７はタンク、８は通水管、９は流量計、１０は流量制御弁であり、タンク７には図示しない水源から水が連続的に圧送されるようになっている。
【００１１】
タンク７の上部にはドレーン孔が設けられ、タンク７内の水位を一定に保持することにより、一定の水頭差で安定した定量給水がなされるようになっている。
【００１２】
次に、本発明の装置における発泡ビーズ供給装置の一例の説明図である図３において、１１は布製貯蔵サイロ、１２はボールバルブ、１３はブロア、１４は布製タンク、１５はホッパ、１６はロータリー式計量器である。
【００１３】
専用トラックで運ばれた発泡ビーズは布製貯蔵サイロ１１に空気圧送され、さらに、ブロア１３で布製タンク１４に送られ、ホッパ１５に充填されるが、この際、空気圧は布製貯蔵サイロ１１と布製タンク１４から直ちに排除され、その影響は残らない。
【００１４】
そして、ホッパ１５内の発泡ビーズは自然落下状態でロータリー式計量器１６に入って計量され、排出されるので、一定した発泡ビーズの供給が可能である。
【００１５】
次に、本発明の装置におけるセメント系固化材供給装置の一例の説明図である図４において、１７はサイロ、１８は制御弁、１９は計量器、２０は制御弁、２１はスクリュー送り装置、２２はホッパ部、２３はレベル計である。
【００１６】
セメント系固化材はサイロ１７からロードセル付きの計量器１９を経てスクリュー送り装置２１のホッパ部２２に供給されるが、計量器１９からホッパ部２２への供給は間欠的であり、レベル計２３でホッパ部２２のセメント系固化材の減り具合を検知して、一定量に減った時に制御弁２０を開いて行われる。
【００１７】
計量器１９からホッパ部２２にセメント系固化材が供給される時間間隔と供給量とから、スクリュー送り装置２１で単位時間に送られるセメント系固化材の量を検知することができ、その量の調節はスクリュー送り装置２１の回転数を調節して行うことができる。
【００１８】
スクリューによる送りでは、送られる材料の密度変化が材料の排出重量に影響を及ぼし、スクリューの回転数が同じでも排出重量が変化するので、スクリューの回転数の制御で直接、排出重量を所定量に制御することは不可能に近いが、本発明の装置ではこれが可能である。
【００１９】
次に、本発明の装置における混練装置の一例の説明図である図５において、２４はホッパ部、２５は回転ドラム、２６はスクリューであり、ホッパ部２４と回転ドラム２５は横に並び、スクリュー２６はホッパ部２４と回転ドラム２５とに亙って延びており、また、回転ドラム２５の内面には多数の攪拌羽根２７が取り付けられている。
【００２０】
回転ドラム２５とスクリュー２６の回転数と回転方向は任意に制御でき、また、装置全体の傾斜も可変である。
【００２１】
ホッパ部２４には横に▲１▼土，▲２▼水，▲３▼発泡ビーズ，▲４▼セメント系固化材の順で材料が連続的に供給され、これらがスクリュー２６で回転ドラム２５内に送られて攪拌混合され、製造された発泡ビーズ混合軽量土は回転ドラム２５の端部開口から排出される。
【図面の簡単な説明】
【図１】本発明の装置における土供給装置の一例の説明図である。
【図２】本発明の装置における水供給装置の一例の説明図である。
【図３】本発明の装置における発泡ビーズ供給装置の一例の説明図である。
【図４】本発明の装置におけるセメント系固化材供給装置の一例の説明図である。
【図５】本発明の装置における混練装置の一例の説明図である。
【符号の説明】
１：ホッパ、２：ベルトコンベア、３：篩、４：ほぐし羽根、５：スクリュー装置、６：ロードセル、７：タンク、８：通水管、９：流量計、１０：流量制御弁、１１：布製貯蔵サイロ、１２：ボールバルブ、１３：ブロア、１４：布製タンク、１５：ホッパ、１６：ロータリー式計量器、１７：サイロ、１８：制御弁、１９：計量器、２０：制御弁、２１：スクリュー送り装置、２２：ホッパ部、２３：レベル計、２４：ホッパ部、２５：回転ドラム、２６：スクリュー、２７：攪拌羽根。
【図１】
0003743261.tif 000002
【図２】
0003743261.tif 000003
【図３】
0003743261.tif 000004
【図４】
0003743261.tif 000005
【図５】
0003743261.tif 000006